(57)【要約】【課題】対象商品のオーダー数の入力を直感的に行うことができると共に、誤入力を防止することができる。【解決手段】１以上の料理の画像３１が印刷または表示された商品パネル２２と、商品パネル２２に重畳配置され、料理のオーダー操作を行うためのタッチパネル２１と、タッチパネル２１の検出結果に基づいて、オーダー情報を生成するオーダー情報生成部４７と、生成したオーダー情報を出力する子オーダー情報発信部４８と、を備え、オーダー情報生成部４７は、オーダー操作によるタッチパネル２１への接触位置の検出に基づいて、オーダー対象となる対象料理を特定すると共に、オーダー操作によるタッチパネル２１への接触軌跡の検出に基づいて、対象料理のオーダー数を判別し、判別結果に基づいて、オーダー情報を生成する。【選択図】図６
2010044548.tif 000002
【特許請求の範囲】
【請求項１】
１以上の商品の商品画像が印刷または表示された商品パネルと、
前記商品パネルに重畳配置され、前記商品のオーダー操作を行うためのタッチパネルと、
前記タッチパネルの検出結果に基づいて、オーダー情報を生成するオーダー情報生成手段と、
生成したオーダー情報を出力するオーダー情報出力手段と、を備え、
前記オーダー情報生成手段は、
前記オーダー操作による前記タッチパネルへの接触位置の検出に基づいて、オーダー対象となる対象商品を特定すると共に、前記オーダー操作による前記タッチパネルへの接触軌跡の検出に基づいて、前記対象商品のオーダー数を判別し、当該判別結果に基づいて、前記オーダー情報を生成することを特徴とするオーダー端末。
【請求項２】
前記オーダー情報生成手段は、
所定の形状を示す前記接触軌跡の検出個数に基づいて、前記対象商品のオーダー数を判別し、前記オーダー情報を生成することを特徴とする請求項１に記載のオーダー端末。
【請求項３】
前記オーダー情報生成手段は、
前記所定の形状とは異なる第２の所定の形状を示す前記接触軌跡の検出に基づいて、前記対象商品のオーダーを取り消すことを特徴とする請求項２に記載のオーダー端末。
【請求項４】
前記オーダー情報生成手段は、
数字の形状を示す前記接触軌跡の検出に基づいて、前記対象商品のオーダー数を判別し、前記オーダー情報を生成することを特徴とする請求項１に記載のオーダー端末。
【請求項５】
前記オーダー情報生成手段は、
数字のゼロの形状を示す前記接触軌跡の検出に基づいて、前記対象商品のオーダーを取り消すことを特徴とする請求項４に記載のオーダー端末。
【請求項６】
前記オーダー情報生成手段は、
オーダーを示す所定の形状と、数字の形状と、を示す前記接触軌跡の検出に基づいて、前記対象商品のオーダー数を判別し、前記オーダー情報を生成することを特徴とする請求項１に記載のオーダー端末。
【請求項７】
前記所定の形状は、一筆書きにより表される形状であることを特徴とする請求項２、３または６に記載のオーダー端末。
【請求項８】
コンピュータに、請求項１ないし７のいずれかに記載のオーダー端末における各手段を機能させるためのプログラム。
【発明の詳細な説明】
【技術分野】
【０００１】
本発明は、飲食店等のオーダーに用いるオーダー端末およびプログラムに関するものである。
【背景技術】
【０００２】
従来、この種のオーダー端末として、商品の画像を商品毎に表示する複数の表示部と、各表示部に対応して設けられその表示部に画像が表示された商品のオーダー数を入力する［＋］ボタンおよび［−］ボタンと、を備えたオーダーブックが知られている（特許文献１参照）。このオーダーブックでは、液晶ディスプレイとタッチパネルセンサからなる液晶タッチパネル面上に、上記表示部、［＋］ボタンおよび［−］ボタンが形成されている。
【特許文献１】特開２００１−３５７４６３号公報
【発明の開示】
【発明が解決しようとする課題】
【０００３】
しかしながら、このようなオーダーブックでは、［＋］ボタンや［−］ボタンのタッチ入力操作によって、対象商品のオーダー数を入力するため、対象商品のオーダー数の入力を直感的に行うことができないという問題があった。また、オーダー数が多い場合は、操作回数が多くなり面倒であった。画像上をオーダー数と同数タッチすることで、オーダー数を入力することも考えられるが、この場合、液晶タッチパネル面上の画像に指が触れただけでタッチが検知されてしまうため、誤入力が多くなってしまう。
【０００４】
本発明は、対象商品のオーダー数の入力を直感的に行うことができると共に、誤入力を防止することができるオーダー端末およびプログラムを提供することを課題としている。
【課題を解決するための手段】
【０００５】
本発明のオーダー端末は、１以上の商品の商品画像が印刷または表示された商品パネルと、商品パネルに重畳配置され、商品のオーダー操作を行うためのタッチパネルと、タッチパネルの検出結果に基づいて、オーダー情報を生成するオーダー情報生成手段と、生成したオーダー情報を出力するオーダー情報出力手段と、を備え、オーダー情報生成手段は、オーダー操作によるタッチパネルへの接触位置の検出に基づいて、オーダー対象となる対象商品を特定すると共に、オーダー操作によるタッチパネルへの接触軌跡の検出に基づいて、対象商品のオーダー数を判別し、当該判別結果に基づいて、オーダー情報を生成することを特徴とする。
【０００６】
この構成によれば、顧客が商品画像上でタッチ操作（オーダー操作）を行うと、商品パネルに重畳したタッチパネルによって、当タッチ操作が検知される。タッチ操作による接触位置の検知に基づいて対象商品を特定し、タッチ操作による接触軌跡の検知に基づいてオーダー数が判別される。このように対象商品のオーダー数を入力するため、直感的にオーダー数の入力を行うことができる。また、タッチ操作による接触軌跡の検出に基づいて、オーダー数を判別するため、不慮の接触による誤入力を防止することができる。なお、ここにいうタッチパネルとは、検出面上の各位置での指等の接触を検出する接触検出手段であり、表示手段を含まない概念である。
【０００７】
上記オーダー端末において、オーダー情報生成手段は、所定の形状を示す接触軌跡の検出個数に基づいて、対象商品のオーダー数を判別し、オーダー情報を生成することが好ましい。
【０００８】
この構成によれば、顧客が丸等の所定の形状を画像上に描くタッチ操作を行うと、タッチパネルは、当所定の形状を示す接触軌跡を検出する。オーダー端末は、当該接触軌跡の検出個数に基づいて、対象商品のオーダー数を判別する。このように、より直感的なタッチ操作でオーダー数の入力を行うことができる。
【０００９】
この場合、オーダー情報生成手段は、所定の形状とは異なる第２の所定の形状を示す接触軌跡の検出に基づいて、対象商品のオーダーを取り消すことが好ましい。
【００１０】
この構成によれば、顧客がバツ等の第２の所定の形状を画像上に描くタッチ操作を行うと、タッチパネルは、当第２の所定の形状を示す接触軌跡を検出する。すると、オーダー情報生成手段は、当該接触軌跡の検出に基づいて、対象商品のオーダーを取り消す。このように、直感的なタッチ操作でオーダーを取り消すことができる。
【００１１】
上記のオーダー端末において、オーダー情報生成手段は、数字の形状を示す接触軌跡の検出に基づいて、対象商品のオーダー数を判別し、オーダー情報を生成することが好ましい。
【００１２】
この構成によれば、顧客が数字を画像上に描くタッチ操作を行うと、タッチパネルは、当数字の形状を示す接触軌跡を検出する。すると、オーダー情報生成手段は、当該接触軌跡の検出に基づいて、対象商品のオーダー数を判別する。このように、数字を描くという、より直感的な操作でオーダー数を入力することができる。
なお、数字は、アラビア数字、ローマ数字、漢数字など、数を表す文字であればその種類を問わない。
【００１３】
この場合、オーダー情報生成手段は、数字のゼロの形状を示す接触軌跡の検出に基づいて、対象商品のオーダーを取り消すことが好ましい。
【００１４】
この構成によれば、顧客が数字のゼロを画像上で描くタッチ操作を行うと、タッチパネルは、当数字のゼロの形状を示す接触軌跡を検出する。すると、オーダー情報生成手段は、当該接触軌跡の検出に基づいて、対象商品のオーダーを取り消す。このように、数字のゼロを描くという、直感的な操作でオーダーの取り消しを行うことができる。
【００１５】
上記のオーダー端末において、オーダー情報生成手段は、オーダーを示す所定の形状と、数字の形状と、を示す接触軌跡の検出に基づいて、対象商品のオーダー数を判別し、オーダー情報を生成することが好ましい。
【００１６】
この構成によれば、顧客が、丸等の所定の形状を画像上に描き、且つ数字を画像上に描くタッチ操作を行うと、タッチパネルは、当所定の形状と、当数字の形状と、を示す接触軌跡とを検出する。すると、オーダー情報生成手段は、当該接触軌跡の検出に基づいて、対象商品のオーダー数を判別する。このように、より直感的にオーダー数を入力することができる。また、所定の形状と数字との組み合わせることで、誤入力をより防止することができる。
【００１７】
これらの場合、所定の形状は、一筆書きにより表される形状であることが好ましい。
【００１８】
所定の形状が一筆書きでない場合、タッチパネル上から離間して、再度接触させるという操作を何度か行うことになる。一度タッチパネルから離間してしまうと、それが１つのものを描いたのか、離間前と離間後で２つのものを描いたのか、を判別することは煩雑であり、所定の形状の接触軌跡の検出を行うことが困難となってしまう。
上記構成によれば、所定の形状が、一筆書きにより表される形状であることにより、所定の形状の接触軌跡の検出を容易に行うことができる。
【００１９】
本発明のプログラムは、コンピュータに、上記のオーダー端末における各手段を機能させることを特徴とする。
【００２０】
この構成によれば、コンピュータに本プログラムを搭載するだけで、上記のオーダー端末における各手段を容易に機能させることができる。
【発明を実施するための最良の形態】
【００２１】
以下、添付図面を参照して、本発明のオーダー端末を適用したオーダーシステムについて説明する。このオーダーシステムは、いわゆるセルフオーダーシステムであり、オーダー入力可能な複数のメニューシートを各顧客に配布し、メニューシートから発信されるオーダーを受け付けるものである。また、各メニューシートに親子関係を構築し、グループ化することで、オーダーをグループ単位（テーブル単位等）で統合し、表示および発信を行うことができる。さらに、各メニューシートは、タッチパネルを搭載し、タッチ操作によってオーダーを入力する。
【００２２】
図１は、オーダーシステム１のシステム構成図である。図１に示すように、オーダーシステム１は、各顧客がオーダー入力を行う複数のメニューシート（オーダー端末）２と、複数のメニューシート２からのオーダーを受け付ける管理サーバ３と、複数のメニューシート２と管理サーバ３との間で長距離無線通信を行うためのアクセスポイント４と、を備えている。この管理サーバ３で受け付けたオーダーに基づいて、調理、給仕および精算処理が行われる。
【００２３】
管理サーバ３は、店舗内のバックヤードに配置され、複数のメニューシート２を統括的に管理すると共に、そのオーダーを統括管理するものである。管理サーバ３は、一般的なコンピュータと同様の構成であり、表示機構１１と、入力機構１２と、通信機構１３と、これらを制御する制御機構１４と、を有している。表示機構１１は、受け付けたオーダーの管理状態や、各メニューシート２の管理状態を確認するためのものである。入力機構１２は、キーボードやマウス等で構成される。通信機構１３は、アクセスポイント４と接続するものであり、各メニューシート２との通信に使用される。通信機構１３により、メニューシート２からオーダー情報を受け付けると共に、各メニューシート２に各種データを送信する。なお、管理サーバ３から、各メニューシート２にデータを送信する際は、一極集中を避けるため、メニューシート２間をリレー形式で通信して、管理サーバ３からのデータを、各メニューシート２に配信することが好ましい。
【００２４】
次に、図２および図３を参照してメニューシート２について説明する。メニューシート２は、親端末としても子端末としても機能することができるようになっている。オーダー入力の際は、各メニューシート２において、予め親端末または子端末を設定する（親子関係設定動作）。この場合、１の親端末と１以上の子端末とにより親子関係が構築される。例えば、１のテーブルの各顧客に配布する複数のメニューシート２で親子関係を構築し、この複数のメニューシート２が１グループとしてグループ化される。その後、各メニューシート２でオーダー入力を行い、入力したオーダー情報を、各子端末から親端末に送信して、親端末でオーダー情報を統合する。そして、親端末で、統合したオーダー情報を表示して、当オーダー情報を管理サーバ３に発信する。このように、グループ単位で統合したオーダー情報を表示し、発信する。
【００２５】
図２は、メニューシートの外観図であり、図３は、メニューシート２の内部構成を示した図である。図２および図３に示すように、メニューシート２は、全体としてシート状に形成されており、広く形成されたタッチパネル２１と、タッチパネル２１に重畳するように取り付けられると共にメニューを印刷した商品パネル２２と、タッチパネル２１および商品パネル２２に延在すると共に液晶ディスプレイ等で構成された表示部２３と、表示部２３の図２中下側に形成された電源ボタン２４、確定ボタン２５および親子設定ボタン２６と、を有している。さらに、メニューシート２は、その内部に、近距離無線通信を行うための近距離無線通信部２７と、長距離無線通信を行うための長距離無線通信部２８と、メニューシート２の各部に接続され、これら各部を制御する制御部２９と、を有している（図３参照）。
【００２６】
タッチパネル２１は、指等の接触（タッチ）部分の物理量（抵抗値や静電気量）の変化を検出して、顧客のタッチ操作を検出する。商品パネル２２は、メニューとして、オーダー対象となる複数の料理の画像（商品画像）３１と、各料理の名前や値段等の料理情報３２と、が印刷されている（図２参照）。顧客が、商品パネル２２上の料理の画像３１に対しタッチ操作を行うと、商品パネル２２に重畳したタッチパネル２１が、そのタッチ操作を検出する。このタッチ操作の検出により、オーダー入力が行われる。なお、商品パネル２２は、タッチパネル２１に対して着脱自在に取り付けられており、適宜交換できることが好ましい。
【００２７】
表示部２３は、オーダー入力の際、タッチ操作によって入力されたオーダーリスト（オーダー情報）Ａ１を表示すると共に、親端末である際（メニューシート２が親端末として機能している場合）、子端末から受信したオーダー情報と自身のメニューシート２で入力したオーダー情報とを統合したオーダー情報の確認画面Ａ２を表示する（いずれも図４参照）。これにより、オーダー入力の際、各メニューシート２で個別のオーダー情報を確認することができ、また、親端末において、統合したオーダー情報を確認することができる。
【００２８】
電源ボタン２４は、当メニューシート２を起動するための操作子である。確定ボタン２５は、入力したオーダー情報や、統合したオーダー情報を確定する操作子である。親子設定ボタン２６は、親子関係設定動作のトリガーとして用いられる操作子である。
【００２９】
近距離無線通信部２７は、近接したメニューシート２間で親子関係を設定する（親子関係設定動作）際に用いる通信手段である。長距離無線通信部２８は、各メニューシート２間や、メニューシート２と管理サーバ３（アクセスポイント４）との間で、オーダー情報や各種データをやり取りするための通信手段である。
【００３０】
ここで、図５を参照して、管理サーバ３の制御機構１４によって構成される各手段と、メニューシート２の制御部２９によって構成される各手段と、について説明する。図５に示すように、管理サーバ３の制御機構１４は、オーダー情報受信部３５と、オーダー受付部３６と、を構成している。オーダー情報受信部３５は、通信機構１３を用い、アクセスポイント４を介して、メニューシート２からオーダー情報を受信する。オーダー受付部３６は、受信されたオーダー情報のうち、親端末から発信されたオーダー情報に基づいて、オーダーを受け付ける。すなわち、オーダー受付部３６は、親端末から発信された、統合したオーダー情報のみに基づいて、オーダーを受け付け、それ以外のオーダー情報を無視する。親端末から発信されたオーダー情報であるか否かの判別は、オーダー情報に親信号が付加されているか否かに基づいて行われる。
【００３１】
図５に示すように、メニューシート２の制御部２９は、端末ＩＤ記憶部４１と、端末ＩＤ発信部４２と、端末ＩＤ受信部４３と、親子設定部４４と、子ＩＤ記憶部４５と、表示制御部４６と、オーダー情報生成部（オーダー情報生成手段）４７と、子オーダー情報発信部（オーダー情報出力手段）４８と、オーダー情報受信部４９と、オーダー統合部５０と、統合オーダー情報発信部５１と、を構成している。
【００３２】
端末ＩＤ記憶部４１は、自身（のメニューシート２）の端末ＩＤを記憶する。各メニューシート２にはそれぞれ異なる端末ＩＤが付加されており、端末ＩＤ記憶部４１は、メニューシート２自身に付加された端末ＩＤを記憶している。
【００３３】
端末ＩＤ発信部４２は、親子設定部４４により、自身のメニューシート２が親端末もしくは子端末に設定された際、近距離無線通信部２７を用いて、端末ＩＤ記憶部４１に記憶された自身の端末ＩＤを発信する。端末ＩＤ受信部４３は、他のメニューシート２の端末ＩＤ発信部４２から発信された端末ＩＤを、近距離無線通信部２７を用いて、受信する。このように、近距離無線通信を用いるため、近接状態であるメニューシート２間で、端末ＩＤのやり取りが行われる。
【００３４】
親子設定部４４は、自身のメニューシート２を、親端末として機能するか、子端末として機能するかを設定する。親子設定部４４は、親子設定ボタン２６が押下したことを検出した場合には、未設定の自身のメニューシート２を親端末に設定し、自身のメニューシート２以外の端末ＩＤを受信した場合には、未設定の自身のメニューシート２を子端末に設定する。すなわち、親端末にしたいメニューシート２の親子設定ボタン２６を押すと、当メニューシート２が親端末に設定される。すると、端末ＩＤ発信部４２により当メニューシート２（親端末）から自身の端末ＩＤが発信される。端末ＩＤ受信部４３によってそれを受信した他のメニューシート２は、自身のメニューシート２以外の端末ＩＤを受信したことになるため、子端末に設定される。このように複数のメニューシート２間で親子関係が構築される。
【００３５】
子ＩＤ記憶部４５は、自身のメニューシート２が親端末である際、子端末の端末ＩＤを記憶するものである。厳密には、親子設定部４４により自身のメニューシート２が親端末に設定されている状態で、端末ＩＤ受信部４３により自身のメニューシート２以外の端末ＩＤを受信した際、この端末ＩＤを子端末の端末ＩＤとして記憶する。すなわち、メニューシート２が子端末に設定されると、端末ＩＤ発信部４２により、自身の端末ＩＤを発信する。親端末のメニューシート２は、親子関係にある各子端末の端末ＩＤを受信し、子ＩＤ記憶部４５に記憶する。
【００３６】
表示制御部４６は、表示部２３の表示制御を行うものである。オーダー入力の際には、オーダーリストＡ１を表示させ、統合したオーダー情報の確認の際には、確認画面Ａ２を表示する。
【００３７】
オーダー情報生成部４７は、タッチパネル２１による検出結果に基づいて、オーダー情報を生成するものである。すなわち、顧客によるタッチ操作（オーダー操作）を、タッチパネル２１によって検出し、これに基づいて、オーダー情報を生成する。このように、タッチパネル２１とオーダー情報生成部４７によって、オーダー入力動作を行う。ここで、図６を参照してオーダー入力動作の詳細について説明する。
【００３８】
オーダー入力動作は、顧客が、商品パネル２２の１の料理の画像３１に対し、丸（「○」）（所定の形状）を描くタッチ操作を行うことで、当料理をオーダーに追加し、山形（逆Ｖ字形状：「∧」）（第２の所定の形状）を描くタッチ操作を行うことで、当料理のオーダーをキャンセルすることにより行われる。顧客がタッチ操作を行うと、タッチパネル２１は、タッチ操作の接触軌跡と、その接触位置を検出する。オーダー情報生成部４７は、予め商品パネル２２上の各料理の画像３１の位置を示す商品マップを記憶しており、この商品マップと、検出したタッチ操作の接触位置（厳密には接触軌跡の中心位置）と、からタッチ操作の対象となった料理を特定する。一方、検出した接触軌跡を判定し、接触軌跡が１以上の丸であると判別した場合には、その丸の個数分、特定した対象料理（対象商品）をオーダーに追加する。また、判定した結果、接触軌跡が山形であると判別した場合には、当対象料理に対するオーダーをキャンセルする。丸もしくは山形と判別されなかった場合には、そのタッチ操作を無視する。
【００３９】
タッチ操作を顧客が繰り返し行うと、その都度、オーダー情報生成部４７は、オーダー情報を変更する。そして、確定ボタン２５の押下を検出したら、オーダー情報を確定して、オーダー入力動作を終了する。なお、料理の追加や、キャンセルする都度、表示制御部４６によってオーダーリストＡ１の表示が更新される。
【００４０】
このように、丸等の所定形状を示す接触軌跡の検出個数で、オーダー数を判別し、オーダーを追加すると共に、山形等の第２の所定形状を示す接触軌跡を検出して、対象料理のオーダーをキャンセルする構成であるため、直感的なタッチ操作でオーダー数の入力、およびオーダーのキャンセルを行うことができる。ここで、図７および図８を参照してオーダー入力動作の第１変形例および第２変形例について説明する。
【００４１】
図７に示すように、第１変形例のオーダー入力動作では、顧客が、対象料理の画像３１上に数字の形状を描くタッチ操作を行うことで、対象料理のオーダーを追加すると共に、顧客が、対象料理の画像３１上にゼロの形状（「０」）を描くタッチ操作を行うことで、対象料理のオーダーをキャンセルする。すなわち、オーダー情報生成部４７は、検出した接触軌跡を判定し、判定の結果、接触軌跡が、ゼロを除く数字の形状であることを判別した場合には、その数字と同数の対象料理を、オーダーに追加する。また、判定の結果、接触軌跡が、ゼロの形状であることを判別した場合には、対象料理のオーダーをキャンセルする。この構成によれば、このように数字を描くという、直感的な操作でオーダー数を入力することができる。なお、数字は、アラビア数字、ローマ数字、漢数字など、数を表す文字であればその種類を問わない。
【００４２】
図８に示すように、第２変形例のオーダー入力動作では、顧客が、対象料理の画像３１上に丸（「○」）（オーダーを示す所定の形状）を描いた後、数字の形状を描くタッチ操作を行うことで、対象料理のオーダーを追加すると共に、顧客が、対象料理の画像３１上に山形（逆Ｖ字形状：「∧」）を描くタッチ操作を行うことで、対象料理のオーダーをキャンセルする。すなわち、オーダー情報生成部４７は、検出した接触軌跡を判定し、判定の結果、接触軌跡が、丸と数字の形状であることを判別した場合には、数字と同数の対象料理を、オーダーに追加する。また、判定の結果、接触軌跡が、山形であることを判別した場合には、対象料理のオーダーをキャンセルする。この構成によれば、直感的にオーダー数を入力することができると共に、オーダーを示す所定の形状と数字との組み合わせることで、誤入力をより防止することができる。
【００４３】
なお、商品パネル２２を交換した際、オーダー情報生成部４７において用いる商品マップを対応するものに変更することができるよう、各商品パネル２２のパネルＩＤに対応して、各商品パネル２２の商品マップを記憶すると共に、商品パネル２２にＩＣチップを搭載し、ＩＣチップに記憶したパネルＩＤを読み出して、商品パネル２２に対応する商品マップを使用することが好ましい。
【００４４】
子オーダー情報発信部４８は、子端末である際、長距離無線通信部２８を用いて、自身の端末ＩＤと共に、オーダー情報を発信する。オーダー情報受信部４９は、親端末である際、子ＩＤ記憶部４５に記憶された子端末の端末ＩＤと共に発信されたオーダー情報を、長距離無線通信部２８を用いて、受信する。このように、子端末から発信されたオーダー情報を、対応する親端末が受信する。
【００４５】
オーダー統合部５０は、親端末である際、受信したオーダー情報と、自身で入力したオーダー情報とを統合する。統合オーダー情報発信部５１は、親端末である際、確定ボタン２５の押下をトリガーとして、長距離無線通信部２８を用いて、親端末であることを示す親信号と共に、統合したオーダー情報を発信する。
【００４６】
次に、図９を参照して、近接した２以上のメニューシート２間で行われる親子関係設定動作について説明する。この動作は、親子設定ボタン２６の押下をトリガーとして行われるものであり、接客スタッフが、各顧客にメニューシート２を配布する直前に、配布する２以上のメニューシート２を近接させた状態で、そのうちの１のメニューシート２の親子設定ボタン２６を押すことにより行われる。なお、ここでは、説明を分かりやすくするため、親子設定ボタン２６が押されるメニューシート２を第１メニューシートとし、第１メニューシート以外のメニューシート２であり、親子設定ボタン２６が押されたときに近接状態にあったメニューシート２を、第２メニューシートとする。
【００４７】
図９は親子関係設定動作のフローチャートである。図９に示すように、第１メニューシートの親子設定ボタン２６が押されると、第１メニューシートは、親子設定部４４により、それを検出し（Ｓ１：Ｙｅｓ）、自身のメニューシート２（第１メニューシート）を親端末に設定する（Ｓ２）。親端末に設定したら、端末ＩＤ発信部４２により、端末ＩＤ記憶部４１に記憶された自身の端末ＩＤを、近距離無線通信を用いて発信する（Ｓ３）。
【００４８】
すると、第２メニューシートは、端末ＩＤ受信部４３により、これを受信する（Ｓ４）。第１メニューシート（親端末）の端末ＩＤを受信したら、親子設定部４４は、自身のメニューシート２以外の端末ＩＤを受信したものとして、自身のメニューシート２を子端末に設定する（Ｓ５）。子端末に設定したら、端末ＩＤ発信部４２により、端末ＩＤ記憶部４１に記憶された自身の端末ＩＤを、近距離無線通信を用いて発信する（Ｓ６）。
【００４９】
これに対し、親端末の第１メニューシートは、端末ＩＤ受信部４３により、これを受信する（Ｓ７）。この際、親端末に設定されている状態で、自身のメニューシート２以外の端末ＩＤを受信したものとして、子ＩＤ記憶部４５は、受信した端末ＩＤを記憶する（Ｓ８）。これにより、本動作を終了する。この動作によって近接した２以上のメニューシート２間で親子関係が構築されて、当２以上のメニューシート２が１グループとしてグループ化される。
【００５０】
次に、図１０を参照して、親子関係設定動作によって親子関係が構築された２以上のメニューシート２が各顧客に配布された後に行われるオーダー動作について説明する。図１０はオーダー動作のフローチャートである。図１０に示すように、まず、親端末および子端末は、それぞれにおいて、オーダー入力動作を行い（Ｓ１１およびＳ１２）、オーダー情報を生成して確定する。その後、子端末は、端末ＩＤ記憶部４１に記憶された自身の端末ＩＤと共に、確定したオーダー情報を発信する（Ｓ１３）。厳密には、確定ボタン２５の押下をトリガーとして、オーダー情報が発信する。
【００５１】
子端末からのオーダー情報を受信した親端末は（Ｓ１４：Ｙｅｓ）、当オーダー情報と共に発信された端末ＩＤが、子ＩＤ記憶部４５に記憶された端末ＩＤと合致するか否かを判定する（Ｓ１５）。判定の結果、端末ＩＤが合致しない場合には（Ｓ１５：Ｎｏ）、このオーダー情報の受信をキャンセルする（Ｓ１６）。一方、端末ＩＤが合致する場合には（Ｓ１５：Ｙｅｓ）、このオーダー情報の受信を容認し、その後、オーダー統合部５０により、受信したオーダー情報と、親端末で入力したオーダー情報とを統合して（Ｓ１７）、表示制御部４６により、統合したオーダー情報の確認画面Ａ２を表示する（Ｓ１８）。なお、子端末が複数ある場合には、各子端末の端末ＩＤを付加したオーダー情報を受信する都度、受信したオーダー情報と、統合したオーダー情報とを更に統合すると共に、確認画面Ａ２の表示を更新する。
【００５２】
次に、顧客によって親端末の確定ボタン２５が押されると、親端末は、それを検出し（Ｓ１９：Ｙｅｓ）、統合オーダー情報発信部５１により、親信号と共に統合したオーダー情報が発信する（Ｓ２０）。
【００５３】
すると、管理サーバ３は、オーダー情報受信部３５により、それを受信し（Ｓ２１）、当オーダー情報に親信号が付加されているか否かを判定する（Ｓ２２）。親信号が付加されていない場合には（Ｓ２２：Ｎｏ）、このオーダー情報の受信をキャンセルする（Ｓ２３）。一方、親信号が付加されている場合には（Ｓ２２：Ｙｅｓ）、このオーダー情報の受信を容認し、このオーダー情報に基づいて、オーダーを受け付ける（Ｓ２４）。
【００５４】
以上のような構成によれば、顧客が料理の画像３１上でタッチ操作（オーダー操作）を行うと、商品パネル２２に重畳したタッチパネル２１によって、当タッチ操作が検知される。タッチ操作による接触位置の検知に基づいて対象料理を特定し、タッチ操作による接触軌跡の検知に基づいてオーダー数が判別される。このように対象料理のオーダー数を入力するため、直感的にオーダー数の入力を行うことができる。また、タッチ操作による接触軌跡の検出に基づいて、オーダー数を判別するため、不慮の接触による誤入力を防止することができる。
【００５５】
なお、本実施形態においては、タッチ操作の検出に用いる所定の形状として、丸（「○」）を用いたが、これに限るものではない。ただし、所定の形状の接触軌跡の検出を容易に行うことができるように、所定の形状が、一筆書きにより表される形状であることが好ましい。
【００５６】
また、本実施形態においては、複数の料理の画像３１を印刷した商品パネル２２を用いたが、これに代えて、複数の料理の画像３１を表示する表示手段を用いる構成であっても良い。
【００５７】
さらに、本実施形態では、オーダー端末として、メニューシート２を用いたが、メニューシート２を複数枚束ねてバインダー状もしくはブック状にしたオーダー端末を用いても良い。かかる場合、束ねたメニューシート２間で、近距離無線通信部２７、長距離無線通信部２８および制御部２９を共有化することが好ましい。
【図面の簡単な説明】
【００５８】
【図１】本発明の一実施形態に係るオーダーシステムのシステム構成図である。
【図２】メニューシートを示した外観図である。
【図３】メニューシートの内部構成を示したブロック図である。
【図４】オーダーリストおよび確認画面を示した図である。
【図５】管理サーバの制御機構によって構成される各手段、およびメニューシートの制御部によって構成される各手段を示した制御ブロック図である。
【図６】オーダー入力動作について説明する説明図である。
【図７】オーダー入力動作の第１変形例について説明する説明図である。
【図８】オーダー入力動作の第２変形例について説明する説明図である。
【図９】親子関係設定動作を示したフローチャートである。
【図１０】オーダー動作を示したフローチャートである。
【符号の説明】
【００５９】
２：メニューシート、  ２１：タッチパネル、  ２２：商品パネル、３１：画像  ４７：オーダー情報生成部、  ４８：子オーダー情報発信部
【図１】
2010044548.tif 000003
【図２】
2010044548.tif 000004
【図３】
2010044548.tif 000005
【図４】
2010044548.tif 000006
【図５】
2010044548.tif 000007
【図６】
2010044548.tif 000008
【図７】
2010044548.tif 000009
【図８】
2010044548.tif 000010
【図９】
2010044548.tif 000011
【図１０】
2010044548.tif 000012